(57)【要約】【課題】取付位置の位置決めを容易に行え、施工性が改善された外張り断熱パネルを提供すること。【解決手段】板状のパネル基材２の屋外側に配置される表面３にのみ断熱材４が配設され、外側断熱層を有する外張り断熱パネル１において、建物躯体側の構造材に接触可能な位置決め部が、パネル基材の屋内側に配置される裏面に突設され、位置決め部が建物躯体側の構造材に接触することによって取付位置が決まる。【選択図】図１
2010077672.tif 000002
【特許請求の範囲】
【請求項１】
板状のパネル基材の屋外側に配置される表面にのみ断熱材が配設され、外側断熱層を有する外張り断熱パネルにおいて、建物躯体側の構造材に接触可能な位置決め部が、パネル基材の屋内側に配置される裏面に突設され、位置決め部が建物躯体側の構造材に接触することによって取付位置が決まることを特徴とする外張り断熱パネル。
【請求項２】
位置決め部は、パネル基材の裏面において建物躯体側の構造材に接触する部分を除いて配設されていることを特徴とする請求項１に記載の外張り断熱パネル。
【請求項３】
断熱材は、パネル基材における表面において建物躯体側の構造材への固定部を除いて配設されていることを特徴とする請求項１または２に記載の外張り断熱パネル。
【発明の詳細な説明】
【技術分野】
【０００１】
本発明は、住宅などの建物の外壁部に断熱層を形成する外張り断熱パネルに関する。
【背景技術】
【０００２】
省エネルギーの観点から、住宅などの建物について断熱性の向上が図られている。建物の外壁部において躯体と外壁材との間にグラスウールなどの断熱材が挿入されるものが、一般的な断熱壁構造として知られている。また、このような断熱壁構造の施工性を良好なものとするために、断熱材が躯体固定用の板材に配設された断熱パネルが各種提供、提案されている。
【０００３】
下記特許文献１には、板材の表裏面にそれぞれ表断熱層、裏断熱層を板材に一体に形成し、裏断熱層における端縁近傍において端縁から所定幅に亘って裏断熱層を切り欠いて板材が露出した固定面を設けた断熱パネルが記載されている。
【０００４】
上記断熱パネルは、表裏両面に断熱層を有するものであり、屋内側に配置された裏断熱層を切り欠くことによって固定面を形成している。そして、板材が露出する固定面を、断熱パネルを固定する柱や間柱などの建物躯体側の構造材に当接させることによって、取付位置の位置決めを行うことができる。
【特許文献１】実用新案登録第３０４２９３２号公報
【発明の開示】
【発明が解決しようとする課題】
【０００５】
しかしながら、断熱パネルの中には外張り断熱パネルと称し、板材の屋外側の面にのみ断熱材が配設される断熱パネルもある。すなわち、外張り断熱パネルは、特許文献１に記載された断熱パネルにおいて裏断熱層が省略されているものである。このような外張り断熱パネルにおいて、建物躯体側の構造材に接触する面は、外壁部において屋内側に位置する裏面であり、板材の裏面は、通常、フラットな面から構成されている。
【０００６】
したがって、建物躯体側の構造材への外張り断熱パネルの取付位置を決めるためには、柱や間柱などの建物躯体側の構造材に張り付けラインを墨打ちなどするしかなく、施工に手間取るという問題がある。
【０００７】
本発明は、以上の通りの事情に鑑みてなされたものであり、取付位置の位置決めを容易に行え、施工性が改善された外張り断熱パネルを提供することを課題としている。
【課題を解決するための手段】
【０００８】
本発明は、上記の課題を解決するために、以下の特徴を有している。
【０００９】
第１の発明は、板状のパネル基材の屋外側に配置される表面にのみ断熱材が配設され、外側断熱層を有する外張り断熱パネルにおいて、建物躯体側の構造材に接触可能な位置決め部が、パネル基材の屋内側に配置される裏面に突設され、位置決め部が建物躯体側の構造材に接触することによって取付位置が決まることを特徴としている。
【００１０】
第２の発明は、上記第１の発明の特徴において、位置決め部は、パネル基材の裏面において建物躯体側の構造材に接触する部分を除いて配設されていることを特徴としている。
【００１１】
第３の発明は、上記第１または第２の発明の特徴において、断熱材は、パネル基材における表面において建物躯体側の構造材への固定部を除いて配設されていることを特徴としている。
【発明の効果】
【００１２】
上記第１の発明によれば、建物躯体側の構造材に接触可能な位置決め部が、パネル基材の屋内側に配置される裏面に突設されているので、外張り断熱パネルを建物躯体側の構造材に取り付ける際に、位置決め部を構造材に接触させることによって、外張り断熱パネルの取付位置が決まる。したがって、墨打ちなどを行うことなく、容易に外張り断熱パネルの取付位置の位置決めを行うことができ、外張り断熱パネルの施工性が改善され、良好なものとなる。
【００１３】
上記第２の発明によれば、上記第１の発明の効果に加え、位置決め部が、パネル基材の裏面において建物躯体側の構造材に接触する部分を除いて設けられているので、外張り断熱パネルの取り付けの際に、位置決め部が建物躯体側の構造材と干渉することがない。外張り断熱パネルの取付性は、位置決め部の配設によって阻害されることはない。
【００１４】
上記第３の発明によれば、上記第１または第２の発明の効果に加え、断熱材は、パネル基材における表面において建物躯体側の構造材への固定部を除いて配設されているので、パネル基材の表面側から釘、ネジなどの固定具を用いて外張り断熱パネルを建物躯体側の構造材に固定する際に、断熱材が固定具によって破損などして断熱性が低下するのを抑制することができる。
【発明を実施するための最良の形態】
【００１５】
図１は、本発明の外張り断熱パネルの第１実施形態を表面側から示した斜視図である。図２は、図１に示した外張り断熱パネルを裏面側から示した斜視図である。図３は、図１に示した外張り断熱パネルの平面図である。
【００１６】
外張り断熱パネル１は、外形が略長方形状で、板状のパネル基材２を備え、パネル基材２において、外張り断熱パネル１が建物躯体に取り付けられるときに屋外側に配置される表面３にのみ断熱材４が配設されている。断熱材４は、建物の外壁部において外側断熱層を形成する。
【００１７】
断熱材４は、パネル基材２に比べ、短尺および短幅とされ、略直方体状の形状を有している。また、断熱材４は、パネル基材２の表面３の左右２箇所に分割されて配設されている。パネル基材２において、左右両側端部は柱への固定ための柱固定部５、上端部は梁への固定のための梁固定部６、下端部は土台への固定のための土台固定部７とされている。また、パネル基材２の長さ方向の略中央部は間柱への固定のための間柱固定部８とされている。２つの断熱材４は、このような柱固定部５、梁固定部６、土台固定部７および間柱固定部８を除くパネル基材２の表面３に配設されている。
【００１８】
パネル基材２としては、クロス合板や強化合板、パーティクルボード、ＭＤＦ、木粉を樹脂材料と混合して押出成形などによって形成されるＷＰＢ（ウッドプラスチックボード）、集成材などの木質板をはじめ、石膏ボードや石膏スラグボードなどの石膏板、繊維補強セメント板、さらにこれらを積層などし、複合した複合板などの各種のものを用いることができる。
【００１９】
断熱材４としては、発泡ポリスチレン、発泡ポリウレタン、ビーズ法ポリスチレン、エポキシフォーム、フェノールフォーム、ポリエチレンフォームなどの硬質合成樹脂発泡体の圧縮成形品や、グラスウールなどの各種のものを用いることができる。断熱材４は、適当な接着剤を用い、接着によってパネル基材２の表面３に取り付けたり、また、上記樹脂成形品の場合は成形と同時に樹脂それ自体が有する接着力によって接着させて取り付けたりすることができる。さらに、グラスウールなどの場合には、断熱材４が損傷などによって断熱性が低下しないように配慮してタッカー留めなどによって連結し、パネル基材２の表面３に取り付けることができる。
【００２０】
外張り断熱パネル１では、断熱材４が、パネル基材２における表面３において建物躯体側の構造材への固定部、すなわち、柱固定部５、梁固定部６、土台固定部７および間柱固定部８を除いて配設されているので、これらの固定部５、６、７、８において釘、ネジなどを使用して建物躯体側の構造材に固定することができる。パネル基材２の表面３側から釘、ネジなどの固定具を用いて外張り断熱パネル１を建物躯体側の柱、梁、土台および間柱といった構造材に固定することができる。しかも、その際に、断熱材４がそれらの固定具によって破損などして断熱性が低下するのが抑制される。なお、断熱材４の配設位置は、建物躯体側の構造材の配置に応じて適宜変更することができる。
【００２１】
また、外張り断熱パネル１では、パネル基材２において、外張り断熱パネル１が建物躯体に取り付けられるときに屋内側に配置される裏面９に位置決め部１０が突設され、パネル基材２の裏面９の外側に突出している。位置決め部１０も、パネル基材２に比べ、短尺および短幅の略直方体状の形状を有している。また、位置決め部１０は、パネル基材２の裏面９における下端部に２つ配設されている。２つの位置決め部１０の、パネル基材２の裏面９における配置位置は、パネル基材２における柱固定部５、土台固定部７および間柱固定部８に対応している。すなわち、柱固定部５、土台固定部７および間柱固定部８の裏側に位置する裏面９の部分を除いて位置決め部１０が配設されている。柱固定部５、土台固定部７、間柱固定部８の裏側に位置するそれぞれの裏面９の部分は、外張り断熱パネル１を建物躯体に取り付ける際に、建物躯体側の柱、土台、間柱に接触する部分である。したがって、位置決め部１０は２つとも、外張り断熱パネル１の取り付けの際にそれら建物躯体側の構造材と干渉することがない。
【００２２】
位置決め部１０において外部に露出している左右両側面および下面の３つの面は、建物躯体側の構造材との接触面１１とされている。外側の接触面１１ａは柱に接触可能な面であり、内側の接触面１１ｂは間柱に接触可能な面である。下側の接触面１１ｃは土台に接触可能な面である。
【００２３】
位置決め部１０は、一般には木材などの木質材から形成することができ、パネル基材２の裏面９に接着剤によって接着したり、釘、ネジ、タッカーなどの固定具によって固定したりすることができる。また、位置決め部１０は断熱材によって形成することもできる。この場合の断熱材は、パネル基材２の表面３に配設される断熱材４と同種であっても異種であっても構わない。このように断熱材から形成される位置決め部１０は、また、断熱材４と同様にしてパネル基材２に取り付けることができる。断熱材から形成される位置決め部１０は、外壁部の断熱性の向上に寄与する。
【００２４】
このように、外張り断熱パネル１では、柱、間柱および土台といった建物躯体側の構造材に接触可能な接触面１１ａ、１１ｂ、１１ｃを有する位置決め部１０が、パネル基材２の裏面９において建物躯体側の構造材である、柱、間柱および土台に接触する部分を除いて設けられている。このため、外張り断熱パネル１は、断熱材４がパネル基材２の表面３にのみ配設されていても、位置決め部１０によって建物躯体へ取り付ける際の取付位置が決まり、位置決めすることができる。しかも、その位置決めを容易に行うことができる。
【００２５】
図４は、図１に示した外張り断熱パネルの建物躯体への取り付けを示した平面図である。図５は、図１に示した外張り断熱パネルの建物躯体への取り付けを示した側面図である。
【００２６】
図４および図５に示したように、外張り断熱パネル１を建物躯体１２に取り付ける際には、位置決め部１０の接触面１１ａを、建物躯体１２に配設された構造材としての柱１３の側面に接触させ、接触面１１ｂを間柱１４の側面にそれぞれ接触させることができ、また、接触面１１ｃを土台１５の上面に接触させることができる。このときの柱１３、間柱１４および土台１５との接触によって外張り断熱パネル１の取付位置が決まる。したがって、パネル基材２の裏面９に断熱材が配設されていない外張り断熱パネル１であっても、柱１３に張り付けラインを墨打ちするなどしなくとも取付位置の位置決めを行うことができ、しかも、位置決めを容易に行うことができる。このため、外張り断熱パネルの施工性が改善され、良好となる。
【００２７】
また、位置決め部１０は、建物躯体１２側の構造材である柱１３、間柱１４および土台１５と干渉しないので、外張り断熱パネル１の取付性は、位置決め部１０の配設によって阻害されることはない。
【００２８】
さらに、図５に示したように、位置決め部１０は、下側の接触面１１ｃが土台１５の上面に接触するので、外張り断熱パネル１は、接触面１１ａ、１１ｂによる幅方向の位置決めに加え、高さ方向の位置決めを同時に行うことができる。したがって、外張り断熱パネル１の高さ方向の位置決めのために、パネル基材２において裏面９の上端部に位置決め部１０を配設する必要は必ずしもなく、位置決め部１０の配設を必要最小限に抑えることが可能である。外張り断熱パネル１は、パネル基材２の裏面９における梁固定部６に対応する部分において梁１６に接触する。外張り断熱パネル１は、柱固定部５、間柱固定部８、土台固定部７および梁固定部６において、釘、ネジなどの固定具を用い、パネル基材２の表面３側から柱１３、間柱１４、土台１５および梁１６に固定することができる。
【００２９】
なお、建物躯体１２側の構造材において、梁１６は、その上方に位置して対向する他の梁１７と組み合わせ、梁１６、１７で一組とし、相互の間にＨ型鋼などの鉄骨材１８が配設され、梁１６、１７と一体とされた複合梁１９が用いられているが、梁の構造は特にこれに限定されない。
【００３０】
図６＜ａ＞＜ｂ＞は、それぞれ、本発明の外張り断熱パネルの第２実施形態、第３実施形態を示した裏面図である。外張り断熱パネル１ａ、１ｂにおいて、図１−３に示した外張り断熱パネル１に共通する部分には、図６＜ａ＞＜ｂ＞に同一の符号を付し、以下ではその説明を省略する。
【００３１】
図６＜ａ＞に示した外張り断熱パネル１ａでは、２つの位置決め部１０ａは、図１−３に示した外張り断熱パネル１に比べ、短幅なものとなっており、位置決め部１０ａにおける接触面１１は、間柱１４との接触面１１ｃのみとしている。このように、位置決め部１０ａが間柱１４とのみ接触可能とされたものであっても、外張り断熱パネル１ａでは、建物躯体１２への取り付けに際し、取付位置の位置決めを行うことができ、しかも、位置決めを容易に行うことができる。また、位置決め部１０ａの配設による建物躯体１２側の構造材との干渉は生じない。図１−３に示した外張り断熱パネル１と同様に、施工性が改善され、良好となるとともに、外張り断熱パネル１ａの取付性は、位置決め部１０ａの配設によって阻害されることはない。
【００３２】
図６＜ｂ＞に示した外張り断熱パネル１ｂでは、２つの位置決め部１０ｂが、図１−３に示した外張り断熱パネル１に比べ、長尺なものとなっている。位置決め部１０ｂは、パネル基材２の表面３に配設された断熱材４に対応する部分の裏面９に設けられている。すなわち、位置決め部１０ｂは、パネル基材２における柱固定部５、土台固定部７および間柱固定部８の裏側に位置する部分を除く裏面９のほぼ全面に配設されている。このため、位置決め部１０ｂは、接触面１１として、接触面１１ａ、１１ｂ、１１ｃに加え、上側にも接触面１１ｄを有し、接触面１１ｄは梁１６に接触可能な面としている。接触面１１ｄは、外張り断熱パネル１の建物躯体１２への取り付けに際し、たとえば図５に示した梁１６の下面に接触し、外張り断熱パネル１の取付位置の位置決めをより確実に行う。
【００３３】
このような外張り断熱パネル１ｂも、建物躯体１２への取り付けに際し、取付位置の位置決めを行うことができ、しかも、位置決めを容易に行うことができる。また、位置決め部１０ｂの配設による建物躯体１２側の構造材との干渉は生じない。図１−３に示した外張り断熱パネル１と同様に、施工性が改善され、良好となるとともに、外張り断熱パネル１ｂの取付性は、位置決め部１０ｂの配設によって阻害されることはない。
【００３４】
図７＜ａ＞＜ｂ＞は、それぞれ、図１に示した外張り断熱パネルの施工について示した、外壁部の外側から見た正面図、平面図である。
【００３５】
外張り断熱パネル１は、建物躯体１２に対して、図４および図５に示したように位置決めが行われ、構造材としての柱１３、間柱１４、土台１５および梁１６に釘、ネジなどの固定具によって取り付けられ、固定される。外張り断熱パネル１の取り付けによって、その両隣に取り付ける外張り断熱パネル２０の取付位置はすでに位置決めされている。このため、外張り断熱パネル２０については、位置決め部１０が配設されていない従前の構成を有するものを適用することができる。すなわち、外張り断熱パネル２０では、２つの断熱材４が、柱固定部５、梁固定部６、土台固定部７および間柱固定部８を除くパネル基材２の表面３にのみ配設されている。裏面９には位置決め部１０は突設されていない。外張り断熱パネル２０は、外張り断熱パネル１に隣接させて配置することにより、柱１３、間柱１４、土台１５および梁１６への取付位置が決まる。柱固定部５、梁固定部６、土台固定部７および間柱固定部８においてパネル基材２の表面３側から釘、ネジなどの固定具を用いて柱１３、間柱１４、土台１５および梁１６に固定することができる。
【００３６】
このようにして取り付け、固定された外張り断熱パネル２０の隣には、同じく外張り断熱パネル２０が取り付けられ、固定され、順次施工されて断熱壁構造が形成される。
【００３７】
一方、建物躯体１２の構造や外張り断熱パネルの取付位置の精度が高く要求される場合は、外張り断熱パネル１のみを用い、互いに隣接させてその都度位置決めを行いながら、建物躯体１２に順次取り付け、固定することが可能である。
【００３８】
いずれの場合にも、建物の外壁部における断熱壁構造の施工の作業性は良好である。
【図面の簡単な説明】
【００３９】
【図１】本発明の外張り断熱パネルの第１実施形態を表面側から示した斜視図である。
【図２】図１に示した外張り断熱パネルを裏面側から示した斜視図である。
【図３】図１に示した外張り断熱パネルの平面図である。
【図４】図１に示した外張り断熱パネルの建物躯体への取り付けを示した平面図である。
【図５】図１に示した外張り断熱パネルの建物躯体への取り付けを示した側面図である。
【図６】＜ａ＞＜ｂ＞は、それぞれ、本発明の外張り断熱パネルの第２実施形態、第３実施形態を示した裏面図である。
【図７】＜ａ＞＜ｂ＞は、それぞれ、図１に示した外張り断熱パネルの施工について示した、外壁部の外側から見た正面図、平面図である。
【符号の説明】
【００４０】
１、１ａ、１ｂ  外張り断熱パネル
２  パネル基材
３  表面
４  断熱材
５  柱固定部
６  梁固定部
７  土台固定部
８  間柱固定部
９  裏面
１０  位置決め部
１２  建物駆体
１３  柱
１４  間柱
１５  土台
１６  梁
【図１】
2010077672.tif 000003
【図２】
2010077672.tif 000004
【図３】
2010077672.tif 000005
【図４】
2010077672.tif 000006
【図５】
2010077672.tif 000007
【図６】
2010077672.tif 000008
【図７】
2010077672.tif 000009